(57)【要約】【課題】階層を移動する操作を容易に行えるような表示を行う。【解決手段】表示装置は、階層的に連結されたデータを記憶する記憶部と、表示面を有する記憶性表示体と、記憶性表示体の表示面から利用者が操る電子ペンまでの距離を測定するペン検出部と、ペン検出部によって測定された距離に応じた階層を判別し、記憶部に記憶されている、判別した当該階層に属するデータに基づいて、当該データの内容を記憶性表示体の表示面に表示させるＣＰＵとを備える。【選択図】図８
2010026564.tif 000002
【特許請求の範囲】
【請求項１】
階層的に連結されたデータ群を記憶するデータ記憶手段と、
表示面を有する表示手段と、
前記表示手段の表示面から利用者が操る操作子までの距離を測定する距離測定手段と、
前記距離測定手段によって測定された距離に応じた階層を判別し、前記データ記憶手段に記憶されている、判別した当該階層に属するデータに基づいて、当該データの内容を前記表示面に表示させる制御手段と
を備えることを特徴とする表示装置。
【請求項２】
前記制御手段は、前記距離測定手段によって測定された距離が小さいほど、下位の階層に属するデータの内容を前記表示面に表示させる
ことを特徴とする請求項１に記載の表示装置。
【請求項３】
前記表示手段の表示面上における前記操作子の位置を特定する位置特定手段を備え、
前記制御手段は、或る階層に属するデータの内容が表示されているときに、前記位置特定手段により当該データの内容の表示位置が特定された場合には、特定された表示位置に対応するデータに連結された、前記或る階層よりも上位または下位の階層に属するデータの内容を前記表示面に表示させる
ことを特徴とする請求項１又は２に記載の表示装置。
【請求項４】
前記データは、文章画像を表す文章データを含み、
前記制御手段は、最下位の階層に属するデータの内容を前記表示面に表示させる場合には、最下位に属する文章データが表す文章画像の縮小画像を前記データの内容として前記表示面に表示させる
ことを特徴とする請求項１から３のいずれか１項に記載の表示装置。
【請求項５】
前記表示手段の表示面において前記操作子が接触した位置を特定する接触位置特定手段を備え、
前記制御手段は、前記縮小画像が表示されているときに前記接触位置特定手段により当該縮小画像の表示位置が特定された場合には、特定された表示位置に対応する文章データを前記データ記憶手段から読み出して、当該文章データが表す文章画像を前記表示面に表示させる
ことを特徴とする請求項４に記載の表示装置。
【請求項６】
前記距離測定手段は、前記操作子から送信された、距離の測定を行うことを指示する信号を受け取ると、前記距離の測定を行う
ことを特徴とする請求項１から５のいずれか１項に記載の表示装置。
【請求項７】
前記制御手段は、前記距離測定手段によって測定された距離が第１の閾値以下の場合には、前記表示面に表示されているデータの内容を、当該データが属する階層よりも下位の階層に属するデータの内容に変更して表示させ、前記距離測定手段によって測定された距離が前記第１の閾値よりも大きい第２の閾値以上の場合には、前記表示面に表示されているデータの内容を、当該データが属する階層よりも上位の階層に属するデータの内容に変更して表示させる
ことを特徴とする請求項１から６のいずれか１項に記載の表示装置。
【請求項８】
コンピュータを、
階層的に連結されたデータ群を記憶するデータ記憶手段と、
表示手段の表示面から利用者が操る操作子までの距離に応じた階層を判別し、前記データ記憶手段に記憶されている、判別した当該階層に属するデータに基づいて、当該データの内容を前記表示面に表示させる制御手段と
して機能させるためのプログラム。
【発明の詳細な説明】
【技術分野】
【０００１】
本発明は、各階層に属するデータの内容を表示する技術に関する。
【背景技術】
【０００２】
利用者の操作に応じて、表示内容を変更する技術が知られている。例えば、特許文献１には、表示画面から操作手段の先端までの距離が閾値以下である場合には、操作手段の位置に対応する表示画面上の位置の操作ボタンの大きさと、予め登録された利用者の指の大きさとを比較し、利用者の指の大きさの方が大きい場合には、その操作ボタンを拡大表示させる技術が開示されている。また、特許文献２には、利用者と画面の距離を測定し、測定した距離に応じた大きさで文字を表示する技術が開示されている。また、特許文献３には、利用者の指の動作に応じて、地図画像の回転、拡大、縮小、スクロールなどを行う技術が開示されている。例えば、利用者によって２本の指を遠ざける動作が行われた場合には、２本の指の移動距離に応じた拡大量で地図画像が拡大される。
【特許文献１】特開２００６−８５２１８号公報
【特許文献２】特開２００３−１４０６３２号公報
【特許文献３】特開２００７−３１０８８８号公報
【発明の開示】
【発明が解決しようとする課題】
【０００３】
ところで、一般に、ファイルの階層構造を表現する方法として、全体の階層構造と、現階層に属するデータの一覧とを併せて表示する方法が知られている。この場合、利用者は、全体の階層構造と現階層のデータ一覧とを併せて見ながら、階層を順番に辿っていく操作を行い、所望のデータを探し出すことになる。そのため、ファイルの階層構造が深くなると、所望のデータにたどり着くまでに、階層を辿っていく操作を何度も繰り返さなくてはならなかった。
本発明は、このような背景に鑑みてなされたものであり、階層を移動する操作を容易に行えるような表示を行うことを目的とする。
【課題を解決するための手段】
【０００４】
本発明は、階層的に連結されたデータ群を記憶するデータ記憶手段と、表示面を有する表示手段と、前記表示手段の表示面から利用者が操る操作子までの距離を測定する距離測定手段と、前記距離測定手段によって測定された距離に応じた階層を判別し、前記データ記憶手段に記憶されている、判別した当該階層に属するデータに基づいて、当該データの内容を前記表示面に表示させる制御手段とを備えることを特徴とする表示装置を提供する。これにより、階層を移動する操作を容易に行えるような表示を行うことができる。
【０００５】
本発明の好ましい態様において、前記制御手段は、前記距離測定手段によって測定された距離が小さいほど、下位の階層に属するデータの内容を前記表示面に表示させてもよい。これにより、利用者は、操作子を表示面に近づけていくほど、下位の階層に移動していくような感覚で操作を行うことができる。
【０００６】
本発明の好ましい態様においては、前記表示手段の表示面上における前記操作子の位置を特定する位置特定手段を備え、前記制御手段は、或る階層に属するデータの内容が表示されているときに、前記位置特定手段により当該データの内容の表示位置が特定された場合には、特定された表示位置に対応するデータに連結された、前記或る階層よりも上位または下位の階層に属するデータの内容を前記表示面に表示させてもよい。これにより、利用者は、操作子の位置に対応するデータに連結されたデータの内容だけを閲覧することができる。
【０００７】
本発明の好ましい態様において、前記データは、文章画像を表す文章データを含み、前記制御手段は、最下位の階層に属するデータの内容を前記表示面に表示させる場合には、最下位に属する文章データが表す文章画像の縮小画像を前記データの内容として前記表示面に表示させてもよい。これにより、利用者は、最下位に属するデータの内容として、最下位に属する文章データが表す文章画像の縮小画像を閲覧することができる。
【０００８】
本発明の好ましい態様においては、前記表示手段の表示面において前記操作子が接触した位置を特定する接触位置特定手段を備え、前記制御手段は、前記縮小画像が表示されているときに前記接触位置特定手段により当該縮小画像の表示位置が特定された場合には、特定された表示位置に対応する文章データを前記データ記憶手段から読み出して、当該文章データが表す文章画像を前記表示面に表示させてもよい。これにより、利用者は、操作子を表示面に接触させることにより、所望の文章画像を表示させることができる。
【０００９】
本発明の好ましい態様において、前記距離測定手段は、前記操作子から送信された、距離の測定を行うことを指示する信号を受け取ると、前記距離の測定を行ってもよい。これにより、操作子から距離の測定を行うことを指示する信号が送信されていない間は、距離の測定が行われることがないため、利用者が意図せず操作子を移動させてしまった場合に、表示手段における表示内容を変更させないようにすることができる。
【００１０】
本発明の好ましい態様において、前記制御手段は、前記距離測定手段によって測定された距離が第１の閾値以下の場合には、前記表示面に表示されているデータの内容を、当該データが属する階層よりも下位の階層に属するデータの内容に変更して表示させ、前記距離測定手段によって測定された距離が前記第１の閾値よりも大きい第２の閾値以上の場合には、前記表示面に表示されているデータの内容を、当該データが属する階層よりも上位の階層に属するデータの内容に変更して表示させてもよい。これにより、表示面に表示されているデータの内容を、下位の階層に属するデータの内容に変更して表示させるときの閾値と、上位の階層に属するデータの内容に変更して表示させるときの閾値とを異ならせることができる。
【００１１】
また、本発明は、コンピュータを、階層的に連結されたデータ群を記憶するデータ記憶手段と、表示手段の表示面から利用者が操る操作子までの距離に応じた階層を判別し、前記データ記憶手段に記憶されている、判別した当該階層に属するデータに基づいて、当該データの内容を前記表示面に表示させる制御手段として機能させるためのプログラムを提供する。これにより、階層を移動する操作を容易に行えるような表示を行うことができる。
【発明を実施するための最良の形態】
【００１２】
［構成］
図１は、本実施形態に係る表示装置１の外観を示す平面図である。この表示装置１は、例えば電子ペーパーである。図２は、表示装置１のハードウェア構成を示す図である。同図に示すように、表示装置１は、ＣＰＵ（Central Processing Unit）１１と、ＲＯＭ（Read Only Memory）１２と、ＲＡＭ（Random Access Memory）１３と、記憶部１４と、電源１５と、電源制御部１６と、入出力部１７と、操作ボタン１８と、ペン検出部１９と、ＶＲＡＭ（Video Random Access Memory）２０と、記憶性表示体２１と、表示体制御部２２とを備えている。
【００１３】
ＣＰＵ１１は、ＲＯＭ１２又は記憶部１４に記憶されているプログラムを実行して、表示装置１の各部を制御する制御手段である。ＲＯＭ１２は、表示装置１の起動に必要なプログラムやデータを記憶している。ＲＡＭ１３は、ＣＰＵ１１がプログラムを実行する際のワークエリアとして使用される。記憶部１４は、例えばハードディスクやフラッシュメモリなどのデータ記憶手段であり、ＣＰＵ１１によって実行されるプログラムの他に、複数の文書データや表示内容判別テーブルＴなどを記憶している。
【００１４】
電源１５は、例えば充電可能な電池であり、表示装置１の各部に電力を供給する。電源制御部１６は、電源１５の管理を行うとともに、電源１５による電力供給の制御を行う。入出力部１７は、操作ボタン１８やペン検出部１９とデータのやり取りを行うインタフェースである。操作ボタン１８は、図１に示すように表示装置１の前面に設けられており、入出力部１７を介して利用者の操作に応じたデータをＣＰＵ１１に入力する。ペン検出部１９は、記憶性表示体２１の背面側に設けられており、電磁誘導方式を利用して、記憶性表示体２１上の検出範囲内にある電子ペン２を検出する。そして、ペン検出部１９は、記憶性表示体２１の表示面上における電子ペン２の位置を特定するとともに、その表示面から電子ペン２までの距離を測定する。ここでは、ペン検出部１９の検出範囲が、記憶性表示体２１の表示面から１０ｃｍの範囲であるものとする。
【００１５】
ＶＲＡＭ２０は、記憶性表示体２１に表示される１ページ分の画像を表す画像データを記憶する。記憶部１４に記憶されている文書データがＣＰＵ１１によって読み出され、画像データとしてこのＶＲＡＭ２０に記憶される。記憶性表示体２１は、電子泳動素子などの複数の表示素子によって構成された表示面を有する表示手段であり、表示体制御部２２によって表示素子が駆動されることにより、ＶＲＡＭ２０に記憶されている画像データに応じた画像を表示する。この記憶性表示体２１は、表示の記憶性を有しており、表示素子が駆動されて画像を表示するまでの駆動期間においては電力が必要であるが、その駆動期間が経過して画像が表示された後は、電力が供給されなくてもその画像を表示し続けることができる。表示体制御部２２は、ＶＲＡＭ２０に記憶されている画像データに基づいて記憶性表示体２１の表示素子を駆動し、その画像データに応じた画像を表示させる駆動回路である。
【００１６】
ここで、図３を参照して、ペン検出部１９が電子ペン２を検出する仕組みについて説明する。この電子ペン２は、利用者が操る操作子の一例である。ペン検出部１９は、マトリックス状に配置された複数のセンサーコイル１９ａを有している。図中のセンサーコイル１９ａ−１，１９ａ−２，１９ａ−３は、紙面手前から紙面奥側方向に延びるループ状の形状をしており、図中のＸ方向に並べられている。なお、図では、図中のＸ方向に並べられたセンサーコイル１９ａのみが示されているが、実際には、ペン検出部１９のセンサ面上においてこのＸ方向と直交するＹ方向にも複数のセンサーコイル１９ａが並べられている。ペン検出部１９は、センサーコイル１９ａに所定の時間だけ電流を流すことにより、記憶性表示体２１の表示面上に磁界ｍを発生させる。このとき、電子ペン２が記憶性表示体２１に近づけられてこの磁界ｍ中に入ると、電子ペン２の内部に設けられたループ状のコイル２５に誘導電流が流れ、コンデンサ２６に電荷が蓄えられる。これにより、電子ペン２のコイル２５に電流が流れてそのペン先に磁界が発生し、電子ペン２の下方に配置されているセンサーコイル１９ａに誘導電流が流れる。
【００１７】
ペン検出部１９は、センサーコイル１９ａに流れた誘導電流を検知することにより、電子ペン２が検出範囲内に入ったことを検出することができる。さらに、ペン検出部１９は、誘導電流が流れたセンサーコイル１９ａの位置に基づいて、電子ペン２の位置を特定することができる。図の例では、電子ペン２の直下に配置されているセンサーコイル１９ａ−２に最大の誘導電流が流れるため、このセンサーコイル１９ａ−２の位置に基づいて、電子ペン２の位置Ｐｔが特定される。また、ペン検出部１９は、センサーコイル１９ａに流れた誘導電流の大きさに基づいて、記憶性表示体２１の表示面から電子ペン２のペン先までの距離Ｌを算出することができる。この誘導電流の大きさと距離Ｌとの関係は、実験や計算により定めることができる。
【００１８】
次に、図４を参照して、記憶部１４に記憶されている文章データの管理構造について説明する。図４は、文章データの管理構造を示す図である。同図に示すように、この文章データの管理構造においては、フォルダ、文章ファイル、文章データなどのデータ群が階層的に連結されている。なお、フォルダは、文章ファイルの格納場所を表すためのノードであるが、実体としては何らかの情報が書き込まれることによって構成されているため、データの一種である。図の例では、第１階層には、フォルダＡ〜Ｔが属しており、第２階層には、フォルダＢに格納された文章ファイルＡ〜Ｔなどが属している。そして、第３階層には、文章ファイルＡに格納された文章データＡ、文章ファイルＢに格納された文章データＢ、文章ファイルＴに格納された文章データＴなどが属している。この管理構造をなす各データの管理は、ＣＰＵ１１によって行われている。
【００１９】
次に、図５を参照して、記憶部１４に記憶されている表示内容判別テーブルＴの内容について説明する。図５は、表示内容判別テーブルＴの一例を示す図である。同図に示すように、表示内容判別テーブルＴにおいては、「距離範囲」と「表示内容」とが対応付けられている。「距離範囲」は、記憶性表示体２１の表示面から電子ペン２までの距離の範囲を示す情報である。「表示内容」は、記憶性表示体２１に表示させる表示内容を表す情報である。例えば、図中の「第１階層のフォルダ一覧」は、図４に示した第１階層に属するフォルダの一覧を表示させることを表している。「第２階層のファイル一覧」は、図４に示した第２階層に属する文章ファイルの一覧を表示させることを表している。「第３階層のサムネイル配列」は、図４に示した第３階層に属する文章データが表す文章画像の１ページ目の縮小画像を並べたものを表示させることを表している。
【００２０】
次に、図６を参照して、表示装置１が有する特徴的な機能について説明する。図６は、表示装置１の機能構成を示す図である。同図に示すように、ペン検出部１９は、距離測定部１０１と、位置特定部１０２として機能する。距離測定部１０１は、記憶性表示体２１の表示面から電子ペン２のペン先までの距離を測定する。この距離測定部１０１は、距離測定手段の一例である。位置特定部１０２は、記憶性表示体２１の表示面上における電子ペン２の位置を特定する。この位置特定部１０２は、位置特定手段及び接触位置特定手段の一例である。
【００２１】
また、ＣＰＵ１１は、プログラムを実行することにより、表示内容判別部１０３と、フォルダ一覧画像生成部１０４と、ファイル一覧画像生成部１０５と、サムネイル配列画像生成部１０６と、画像データ書き込み部１０７として機能する。表示内容判別部１０３は、距離測定部１０１によって測定された距離と、記憶部１４の表示内容判別テーブルＴとに基づいて、記憶性表示体２１に表示させる表示内容を判別する。このとき、表示内容判別部１０３は、距離測定部１０１によって測定された距離が小さいほど、下位の階層に属するデータの内容を表示内容として判別する。フォルダ一覧画像生成部１０４は、第１階層に属するフォルダの一覧を表すフォルダ一覧画像を生成する。このフォルダ一覧画像は、第１階層に属するデータ（フォルダ）の内容を表すものである。ファイル一覧画像生成部１０５は、第２階層に属する文章ファイルの一覧を表すファイル一覧画像を生成する。このファイル一覧画像は、第２階層に属するデータ（文章ファイル）の内容を表すものである。サムネイル配列画像生成部１０６は、第３階層に属する文章データが表す文章画像の１ページ目のサムネイル画像が並べられたサムネイル配列画像を生成する。このサムネイル配列画像は、最下位の第３階層に属する文章データが表す文章画像の縮小画像が並べられたものである。画像データ書き込み部１０７は、フォルダ一覧画像生成部１０４、ファイル一覧画像生成部１０５若しくはサムネイル配列画像生成部１０６によって生成された画像を表す画像データ、又は、電子ペン２によって指定された文章データに応じた画像データをＶＲＡＭ２０に書き込み、表示体制御部２２に表示開始命令を供給する。
【００２２】
表示体制御部２２は、画像データ書き込み部１０７によって表示開始命令が供給されると、ＶＲＡＭ２０に記憶されている画像データに基づいて記憶性表示体２１の表示素子を駆動させる。記憶性表示体２１は、表示体制御部２２によって表示素子が駆動されることにより、ＶＲＡＭ２０に記憶されている画像データに応じた画像、つまりフォルダ一覧画像、ファイル一覧画像、サムネイル配列画像又は文章画像のいずれかを表示する。
【００２３】
［動作］
次に、図７を参照して、表示装置１の動作について説明する。図７は、フォルダ一覧画像の表示指示が行われたときの処理を示すフロー図である。利用者によって操作ボタン１８が用いられて、フォルダ一覧画像の表示を指示する操作が行われると、フォルダ一覧画像の表示指示がＣＰＵ１１に入力される（ステップＳ１１）。フォルダ一覧画像の表示指示が入力されると、ＣＰＵ１１は、記憶部１４に記憶されている文章データの管理構造に基づいて、フォルダ一覧画像Ｒ１を生成する（ステップＳ１２）。この例では、図４に示した文章データの管理構造において、第１階層に属するフォルダＡ〜Ｔの一覧を表すフォルダ一覧画像Ｒ１が生成される。そして、このフォルダ一覧画像Ｒ１を表す画像データがＲＡＭ１３に記憶される。続いて、ＣＰＵ１１は、このフォルダ一覧画像Ｒ１を表す画像データをＶＲＡＭ２０に書き込み（ステップＳ１３）、表示体制御部２２に表示開始命令を供給する。表示開始命令が供給されると、表示体制御部２２は、ＶＲＡＭ２０に書き込まれた画像データに基づいて記憶性表示体２１の表示素子を駆動し、その画像データに応じた画像を表示させる。これにより、記憶性表示体２１には、フォルダ一覧画像Ｒ１が表示される（ステップＳ１４）。
【００２４】
図８は、このときに記憶性表示体２１に表示されるフォルダ一覧画像Ｒ１の一例を示す図である。同図に示すように、このフォルダ一覧画像Ｒ１には、フォルダＡ〜Ｔを表すアイコン画像Ｉ１とフォルダ名とが対応付けられて配置されている。利用者は、このフォルダ一覧画像Ｒ１を見ることにより、最上位の階層（第１階層）に属するフォルダＡ〜Ｔの中から所望のフォルダを選択することができる。ここでは、利用者が電子ペン２を図中の位置「Ｐ１」に記憶性表示体２１の表示面から５ｃｍの距離まで近づけて、フォルダＢを指定する操作を行った場合を想定する。
【００２５】
記憶性表示体２１にフォルダ一覧画像Ｒ１が表示されると、ＣＰＵ１１は、ペン検出部１９によって、電子ペン２がその検出範囲内にあるか否かを判定する（ステップＳ１５）。仮に、電子ペン２が記憶性表示体２１の表示面から１０ｃｍの範囲に近づけられていない場合、電子ペン２はペン検出部１９の検出範囲内にないため検出されない。この場合、ＣＰＵ１１は、電子ペン２が検出範囲内にないと判定し（ステップＳ１５：ＮＯ）、電子ペン２が検出範囲内に移動されるまで待機する。一方、この例のように、記憶性表示体２１の表示面から５ｃｍの範囲に電子ペン２が近づけられた場合には、電子ペン２がペン検出部１９によって検出されるため、ＣＰＵ１１は、電子ペン２が検出範囲内にあると判定する（ステップＳ１５：ＹＥＳ）。この場合、ＣＰＵ１１は、ペン検出部１９によって、記憶性表示体２１の表示面から電子ペン２までの距離を測定するとともに、その表示面上における電子ペン２の位置を特定する（ステップＳ１６）。この例では、記憶性表示体２１の表示面から電子ペン２までの距離として「５ｃｍ」が測定されるとともに、電子ペン２の位置として図８中の位置「Ｐ１」が特定される。
【００２６】
続いて、ＣＰＵ１１は、測定した距離に基づいて、電子ペン２が記憶性表示体２１の表示面に接触したか否かを判定する（ステップＳ１７）。この例のように、測定した距離が０ｃｍではない場合、ＣＰＵ１１は、電子ペン２が記憶性表示体２１の表示面に接触していないと判定する（ステップＳ１７：ＮＯ）。この場合、ＣＰＵ１１は、ステップＳ１６にて測定した距離と、記憶部１４に記憶されている表示内容判別テーブルＴとに基づいて、記憶性表示体２１に表示させる表示内容を判別する（ステップＳ１８）。仮に、測定した距離が６ｃｍより大きい場合には、図５に示した表示内容判別テーブルＴにおいて、距離範囲「６ｃｍより大」に対応する「第１階層のフォルダ一覧」という表示内容が判別される。この場合、ＣＰＵ１１は、前述したステップＳ１３に戻り、フォルダ一覧画像Ｒ１を記憶性表示体２１に表示させる。一方、この例では、測定した距離が５ｃｍであるため、図５に示した表示内容判別テーブルＴにおいて、距離範囲「６ｃｍ以下３ｃｍより大」に対応する「第２階層のフォルダ一覧」という表示内容が判別される。そして、この場合、ＣＰＵ１１はステップＳ１９に進む。
【００２７】
続いて、ＣＰＵ１１は、ステップＳ１６にて特定した電子ペン２の位置に基づいて、電子ペン２を用いて指定されたフォルダを特定する。この例では、図８に示すように、電子ペン２の位置「Ｐ１」にフォルダＢを表すアイコン画像Ｉ１が表示されているため、電子ペン２を用いて指定されたフォルダとしてフォルダＢが特定される。続いて、ＣＰＵ１１は、電子ペン２を用いて指定されたフォルダＢと、記憶部１４に記憶されている文章データの管理構造とに基づいて、ファイル一覧画像Ｒ２を生成する（ステップＳ１９）。この例では、図４に示す文章データの管理構造において、第２階層に属し、フォルダＢに格納されている文章ファイルＡ〜Ｔの一覧を表すファイル一覧画像Ｒ２が生成される。そして、このファイル一覧画像Ｒ２を表す画像データがＲＡＭ１３に記憶される。続いて、ＣＰＵ１１は、このファイル一覧画像Ｒ２を表す画像データをＶＲＡＭ２０に書き込み（ステップＳ２０）、表示体制御部２２に表示開始命令を供給する。表示開始命令が供給されると、表示体制御部２２は、ＶＲＡＭ２０に書き込まれた画像データに基づいて記憶性表示体２１の表示素子を駆動し、その画像データに応じた画像を表示させる。これにより、記憶性表示体２１には、ファイル一覧画像Ｒ２が表示される（ステップＳ２１）。
【００２８】
図９は、このときに記憶性表示体２１に表示されるファイル一覧画像Ｒ２の一例を示す図である。同図に示すように、このファイル一覧画像Ｒ２には、フォルダ一覧画像Ｒ１において指定されたフォルダＢに格納されている文章ファイルＡ〜Ｔを表すアイコン画像Ｉ２とファイル名とが対応付けられて配置されている。つまり、第１階層に属するフォルダの一覧を表すフォルダ一覧画像Ｒ１が表示されているときに、電子ペン２の位置としてフォルダ一覧画像Ｒ１の表示位置が特定された場合には、特定された表示位置に対応するフォルダに連結された、第１階層よりも下位の第２階層に属する文章ファイルの一覧を表すファイル一覧画像Ｒ２が表示される。利用者は、このファイル一覧画像Ｒ２を見ることにより、フォルダＢに格納されている文章ファイルＡ〜Ｔの中から所望の文章ファイルを選択することができる。ここでは、利用者が電子ペン２を図中の位置「Ｐ２」に記憶性表示体２１の表示面から３ｃｍの距離まで近づけて、文章ファイルＢを指定する操作を行った場合を想定する。
【００２９】
記憶性表示体２１にファイル一覧画像Ｒ２が表示されると、ＣＰＵ１１は、前述したステップＳ１６に戻る。このとき、ステップＳ１６では、記憶性表示体２１の表示面から電子ペン２までの距離として「３ｃｍ」が測定されるとともに、電子ペン２の位置として図９中の位置「Ｐ２」が特定される。続いて、ステップＳ１７では、測定した電子ペン２までの距離が０ｃｍではないため、電子ペン２が記憶性表示体２１の表示面に接触していないと判定される（ステップＳ１７：ＮＯ）。続いて、ステップＳ１８では、測定した電子ペン２までの距離が「３ｃｍ」であるため、図５に示した表示内容判別テーブルＴにおいて、距離範囲「３ｃｍ以下０ｃｍより大」に対応する「第３階層のサムネイル配列」という表示内容が判別される。この場合、ＣＰＵ１１はステップＳ２２に進む。
【００３０】
続いて、ＣＰＵ１１は、ステップＳ１６にて特定した電子ペン２の位置と、記憶部１４に記憶されている文章データの管理構造とに基づいて、サムネイル配列画像Ｒ３を生成する（ステップＳ２２）。ここでは、サムネイル配列画像において一画面に配置されるサムネイル画像の数が６個であるものとする。この場合、ＣＰＵ１１は、まず記憶性表示体２１に表示されているファイル一覧画像Ｒ２において、電子ペン２の位置の近傍にアイコン画像Ｉ２が表示されている６個の文章ファイルを特定する。この例では、図９に示したファイル一覧画像Ｒ２において、図中の位置「Ｐ２」の近傍にアイコン画像Ｉ２が表示されている文章ファイルＡ〜Ｃ，Ｅ〜Ｇが特定される。続いて、ＣＰＵ１１は、図４に示した文章データの管理構造において、第３階層に属し、特定した文章ファイルＡ〜Ｃ，Ｅ〜Ｇに対応する文章データの１ページ目のサムネイル画像を生成する。そして、生成されたサムネイル画像が並べられて、サムネイル配列画像Ｒ３が生成される。そして、このサムネイル配列画像Ｒ３を表す画像データがＲＡＭ１３に記憶される。続いて、ＣＰＵ１１は、このサムネイル配列画像Ｒ３を表す画像データをＶＲＡＭ２０に書き込み（ステップＳ２３）、表示体制御部２２に表示開始命令を供給する。表示開始命令が供給されると、表示体制御部２２は、ＶＲＡＭ２０に書き込まれた画像データに基づいて記憶性表示体２１の表示素子を駆動し、その画像データに応じた画像を表示させる。これにより、記憶性表示体２１には、サムネイル配列画像Ｒ３が表示される（ステップＳ２４）。
【００３１】
図１０は、このときに記憶性表示体２１に表示されるサムネイル配列画像Ｒ３の一例を示す図である。同図に示すように、このサムネイル配列画像Ｒ３には、文書データＡ〜Ｃ，Ｅ〜Ｇが表す文章画像の１ページ目のサムネイル画像Ｎとファイル名とが対応付けられて配置されている。なお、図の例では、文章データＡ，Ｃ，Ｅ，Ｇについては、サムネイル画像Ｎの一部だけが表示されており、そのファイル名については表示されていない。つまり、第２階層に属する文章ファイルの一覧を表すファイル一覧画像Ｒ２が表示されているときに、電子ペン２の位置としてファイル一覧画像Ｒ２の表示位置が特定された場合には、特定された表示位置に対応する文章ファイルに連結された、第２階層よりも下位の第３階層に属する文章データが表す文章画像のサムネイル画像が配列されたサムネイル配列画像Ｒ３が表示される。利用者は、このサムネイル配列画像Ｒ３を見ることにより、自分が電子ペン２を用いて指定した文章ファイルＢとその近傍にある文章ファイルについて、その文章データが表す文章画像の１ページ目の内容を把握することができる。そして、利用者は、第３階層に属する文章データの中から所望の文章データを選択することができる。ここでは、利用者が記憶性表示体２１の表示面における図中の位置「Ｐ３」に電子ペン２のペン先を接触させて、文章データＢを指定する操作を行った場合を想定する。
【００３２】
記憶性表示体２１にサムネイル配列画像Ｒ３が表示されると、ＣＰＵ１１は、前述したステップＳ１６に戻る。このとき、ステップＳ１６では、電子ペン２のペン先が記憶性表示体２１の表示面に接触させられているため、記憶性表示体２１の表示面から電子ペン２までの距離として「０ｃｍ」が測定されるとともに、電子ペン２の位置として図１０中の位置「Ｐ３」が特定される。続いて、ステップＳ１７では、測定した電子ペン２までの距離が０ｃｍであるため、電子ペン２が記憶性表示体２１の表示面に接触したと判定される（ステップＳ１７：ＹＥＳ）。この場合、ＣＰＵ１１は、電子ペン２の位置に対応する文章データを特定する（ステップＳ２５）。この例では、図１０に示した位置「Ｐ３」に対応する文章データＢが特定される。続いて、ＣＰＵ１１は、特定した文章データＢの１ページ目を記憶部１４から読み出して、画像データとしてＶＲＡＭ２０に書き込み（ステップＳ２６）、表示体制御部２２に表示開始命令を供給する。表示開始命令が供給されると、表示体制御部２２は、ＶＲＡＭ２０に書き込まれた画像データに基づいて記憶性表示体２１の表示素子を駆動し、その画像データに応じた画像を表示させる。これにより、記憶性表示体２１には、文章データＢが表す文章画像の１ページ目が表示される（ステップＳ２７）。つまり、ＣＰＵ１１は、サムネイル画像が並べられたサムネイル配列画像が表示されているときに、ペン検出部１９により当該サムネイル画像の表示位置が特定された場合には、特定された表示位置に対応する文章データが表す文章画像を記憶性表示体２１の表示面に表示させる。
【００３３】
以上説明した実施形態によれば、利用者は、電子ペン２を記憶性表示体２１の表示面に近づけていくだけで、文章データの管理構造において上位階層から下位階層へと移動する操作を行うことができ、そして電子ペン２のペン先を表示面に接触させることで、所望の文章データが表す文章画像の１ページ目を記憶性表示体２１に表示させることができる。つまり、階層を移動する操作を容易に行えるような表示を行うことができる。
【００３４】
［変形例］
以上が実施形態の説明であるが、この実施形態の内容は以下のように変形し得る。また、以下の変形例を適宜組み合わせてもよい。
（変形例１）
前述した実施形態において、ペン検出部１９は、記憶性表示体２１の表示面から電子ペン２までの距離を常に測定していたが、これに限らない。例えば、電子ペン２に距離決定スイッチを設け、利用者によってこの距離決定スイッチがオンにされて、距離の測定を行うことを指示する距離決定信号が電子ペン２から送信されてきたときに、ペン検出部１９がその距離決定信号を受け取り、距離の測定を行ってもよい。この場合、利用者がスイッチをオフにしている間は、電子ペン２を記憶性表示体２１の表示面から離しても距離が測定されることはないため、利用者が意図せず電子ペン２を移動させてしまった場合にも、記憶性表示体２１の表示内容が切替えられずに済む。
【００３５】
（変形例２）
前述した実施形態では、電子ペン２が記憶性表示体２１の表示面に近づけられて、記憶性表示体２１の表示面から電子ペン２までの距離が６ｃｍ以下になると、記憶性表示体２１の表示内容がフォルダ一覧画像Ｒ１からファイル一覧画像Ｒ２にそのまま切り替えられていたが、これに限らない。例えば、図８に示したフォルダ一覧画像Ｒ１が表示されているときに、電子ペン２が図８の位置「Ｐ１」に近づくほど、フォルダＢのアイコン画像Ｉ１を中心としてフォルダ一覧画像Ｒ１が拡大されていき、ある大きさまで拡大されると、図９に示したファイル一覧画像Ｒ２に切り替わるような表示を行ってもよい。また、ファイル一覧画像からサムネイル配列画像に表示を切り替える場合にも、これと同様の表示を行ってもよい。これにより、利用者は、自分が電子ペン２を近づけたところを中心に、どんどん深い階層に進んでいくような感覚で操作を行うことができる。
また、電子ペン２の位置に対応する表示位置に配置されているアイコン画像の色を反転表示させてもよい。これにより、利用者は、自分が指定しようとしているフォルダや文章ファイルなどを容易に認識することができる。
【００３６】
（変形例３）
前述した実施形態では、文章データの管理構造が第１〜第３階層によって構成される例を挙げて説明したが、これに限らない。例えば、第１階層に属するフォルダの中に第２階層に属するサブフォルダが格納されており、このサブフォルダの中に第３階層に属する文章ファイルが格納されていてもよい。この場合、ＣＰＵ１１は、第１階層に属するフォルダの一覧を表すフォルダ一覧画像が表示されているときに、電子ペン２が記憶性表示体２１の表示面上に近づけられて、第１の閾値以下の距離になると、第２の階層に属し、指定されたフォルダに格納されているサブフォルダの一覧を表すサブフォルダ一覧画像を生成して表示させ、さらに電子ペン２が記憶性表示体２１の表示面に近づけられて、第１の閾値より小さい第２の閾値以下の距離になると、第３の階層に属し、指定されたサブフォルダに格納されている文章ファイルの一覧を表すファイル一覧画像を生成して表示させる。
また、例えば、第２階層にサブフォルダと文章ファイルとが混在しているような場合には、サブフォルダを表すアイコン画像及びフォルダ名については、表示しなくてもよい。
【００３７】
（変形例４）
上述した実施形態では、記憶性表示体２１の表示内容をフォルダ一覧画像からファイル一覧画像に変更するときの閾値と、ファイル一覧画像からフォルダ一覧画像に変更するときの閾値とが同じであったが、これらの閾値を異ならせてもよい。この場合、ＣＰＵ１１は、ペン検出部１９によって測定された電子ペン２までの距離が第１の閾値以下の場合には、記憶性表示体２１の表示内容をフォルダ一覧画像からファイル一覧画像に変更し、ペン検出部１９によって測定された電子ペン２までの距離が第１の閾値よりも大きい第２の閾値以下の場合には、ファイル一覧画像からフォルダ一覧画像に変更する。ここでは、第１の閾値が６ｃｍであり、第２の閾値が７ｃｍである場合を想定する。この場合、ＣＰＵ１１は、記憶性表示体２１にフォルダ一覧画像が表示されているときに、利用者によって電子ペン２が記憶性表示体２１の表示面から６ｃｍまで近づけられると、記憶性表示体２１の表示をフォルダ一覧画像からファイル一覧画像へと変更させる。一方、記憶性表示体２１にファイル一覧画像が表示されているときには、利用者によって電子ペン２が記憶性表示体２１の表示面から７ｃｍまで遠ざけられると、ＣＰＵ１１は、記憶性表示体２１の表示をフォルダ一覧画像からファイル一覧画像に変更させる。また、同様にして、ファイル一覧画像からサムネイル配列画像に変更する閾値と、サムネイル配列画像からファイル一覧画像に変更する閾値とを異ならせてもよい。
【００３８】
（変形例５）
上述した実施形態において、利用者毎に閲覧できるフォルダや文章ファイルを制限してもよい。この場合、電子ペン２には、その電子ペン２を使用する利用者のユーザＩＤを記憶するメモリが設けられる。表示装置１のＣＰＵ１１は、ペン検出部１９によって、電子ペン２のメモリに記憶されているユーザＩＤを取得し、ＲＡＭ１３などに記憶させておく。そして、ＣＰＵ１１は、電子ペン２の操作によって例えばフォルダＢが指定されると、ＲＡＭ１３のユーザＩＤがフォルダＢへのアクセスが許可されている利用者のユーザＩＤに含まれている場合には、フォルダＢに格納されている文章ファイルの一覧を表すファイル一覧画像を表示し、ＲＡＭ１３のユーザＩＤがフォルダＢへのアクセスが許可されている利用者のユーザＩＤに含まれていない場合には、このファイル一覧画像を表示せず、アクセスが許可されていない旨を表すメッセージを記憶性表示体２１に表示させる。文章ファイルについても、同様のアクセス制限を行ってもよい。
【００３９】
（変形例６）
前述した実施形態では、階層的に連結されたフォルダ、文章ファイル、文章データの内容を表示する例を挙げて説明したが、これに限らない。例えば、本発明をＷｅｂの検索結果の表示に適用してもよい。この場合、表示装置１には、インターネットなどのネットワークを介して検索サーバと通信を行う通信部が設けられる。そして、表示装置１のＣＰＵ１１は、利用者によって検索キーワードを指定する操作が行われると、その検索キーワードを通信部によって検索サーバに送信する。検索サーバから検索キーワードに合致するサイトのＵＲＬ（Uniform Resource Locator）やタイトルが列挙された検索結果が送信されてくると、ＣＰＵ１１は、通信部によってこの検索結果を受信し、記憶性表示体２１に表示させる。検索結果が表示されているときに、電子ペン２が記憶性表示体２１の表示面に近づけられて、閾値以下の距離になると、ＣＰＵ１１は、通信部によって電子ペン２の位置に対応するいくつかのＵＲＬにアクセスし、そのサイトのトップページ画面を表すデータを取得する。そして、ＣＰＵ１１は、取得したデータが表すトップページ画面のサムネイル画像を生成し、それらを並べてサムネイル配列画像を生成して、記憶性表示体２１に表示させる。
【００４０】
（変形例７）
前述した実施形態において、ペン検出部１９は、誘導電磁方式を用いて、記憶性表示体２１の表示面上における電子ペン２の位置を特定するとともに、記憶性表示体２１の表示面から電子ペン２までの距離を測定していたが、これに限らない。例えば、ペン検出部１９が、タッチパネルと超音波センサとで構成されてもよい。この場合、タッチパネルは、記憶性表示体２１の表示面上に配置される。また、電子ペン２は必ずしも用いられる必要はない。例えば、利用者の指が記憶性表示体２１の表示面上に近づけられたり、接触されたりしてもよい。この場合、利用者の指が操作子としての役割を果たす。この場合、ペン検出部１９は、タッチパネルを用いて記憶性表示体２１の表示面上における操作子の位置を特定するとともに、その表示面上における操作子の接触位置を検出する。また、ペン検出部１９は、超音波センサを用いて、記憶性表示体２１の表示面に対して垂直に超音波を照射したときの反射を計測することにより、記憶性表示体２１の表示面から操作子までの距離を測定する。
【００４１】
（変形例８）
前述した実施形態において、電子ペン２が検出範囲内に存在せず、ペン検出部１９が電子ペン２までの距離を測定できない場合には、ステップＳ１３の処理に戻り、フォルダ一覧画像Ｒ１を表示してもよい。
【００４２】
（変形例９）
前述した実施形態において、ＣＰＵ１１が実行していた処理は、他のハードウェアとの協働により行われてもよいし、ＣＰＵ１１以外の１又は複数のハードウェアにより行われてもよい。また、ＣＰＵ１１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００４３】
【図１】実施形態に係る表示装置の外観を示す平面図である。
【図２】上記表示装置のハードウェア構成を示す図である。
【図３】上記表示装置のペン検出部が電子ペンを検出する仕組みを説明する図である。
【図４】上記表示装置に記憶されている文章データの管理構造を説明する図である。
【図５】上記表示装置に記憶されている表示内容判別テーブルの一例を示す図である。
【図６】上記表示装置の機能構成を示す図である。
【図７】上記表示装置にて行われる処理を示すフロー図である。
【図８】上記表示装置に表示されるフォルダ一覧画像の一例を示す図である。
【図９】上記表示装置に表示されるファイル覧画像の一例を示す図である。
【図１０】上記表示装置に表示されるサムネイル配列画像の一例を示す図である。
【符号の説明】
【００４４】
１…表示装置、１１…ＣＰＵ、１２…ＲＯＭ、１３…ＲＡＭ、１４…記憶部、１５…電源、１６…電源制御部、１７…入出力部、１８…操作ボタン、１９…ペン検出部、２０…ＶＲＡＭ、２１…記憶性表示体、２２…表示体制御部、１０１…距離測定部、１０２…位置特定部、１０３…表示内容判別部、１０４…フォルダ一覧画像生成部、１０５…ファイル一覧画像生成部、１０６…サムネイル配列画像生成部、１０７…画像データ書き込み部。
【図１】
2010026564.tif 000003
【図２】
2010026564.tif 000004
【図３】
2010026564.tif 000005
【図４】
2010026564.tif 000006
【図５】
2010026564.tif 000007
【図６】
2010026564.tif 000008
【図７】
2010026564.tif 000009
【図８】
2010026564.tif 000010
【図９】
2010026564.tif 000011
【図１０】
2010026564.tif 000012